(57)【要約】【課題】  病院などの緊急時においても、新たに緊急呼び戻しボタンを設置することなく、既存のホールボタンを使用してボタンの誤動作やいたずら防止が図れると共に、全ての呼びをキャンセルすることなく、平常運転復帰後のサービスが再開可能なこと。【解決手段】  本発明のエレベーター装置の運転方法は、上記課題を解決するために、特定階のホールボタンを一定時間押し続けることで、他の階の前記ホールボタン及び/又は行先階ボタンの呼びより優先する緊急呼び戻し運転を行うと共に、前記他の階のホールボタン及び/又は前記行先階ボタンの呼びを登録保持し、前記特定階のホールボタンによる緊急呼び戻し運転から平常運転に復帰した後に、前記登録保持した他の階のホールボタン及び/又は前記行先階ボタンの呼びを順次再開することを特徴とする。【選択図】図２
2015101432.tif 000002
【特許請求の範囲】
【請求項１】
各階のホールに設置されているホールボタンと、かご内に設置されている行先階ボタンと、制御装置とを備えたエレベーター装置を運転する方法において、
特定階の前記ホールボタンを一定時間押し続けることで、他の階の前記ホールボタン及び/又は前記行先階ボタンの呼びより優先する緊急呼び戻し運転を行うと共に、前記他の階のホールボタン及び/又は前記行先階ボタンの呼びを登録保持し、前記特定階のホールボタンによる緊急呼び戻し運転から平常運転に復帰した後に、前記登録保持した他の階のホールボタン及び/又は前記行先階ボタンの呼びを順次再開することを特徴とするエレベーター装置の運転方法。
【請求項２】
請求項１に記載のエレベーター装置の運転方法において、
前記特定階のホールボタンを一定時間押し続けると、前記各階の乗客と前記かご内の乗客に対して緊急呼び戻し運転である案内を行うことを特徴とするエレベーター装置の運転方法。
【請求項３】
請求項１に記載のエレベーター装置の運転方法において、
前記緊急呼び戻し運転中に、前記ホールボタン及び/又は前記行先階ボタンが押されると、前記各階の乗客と前記かご内の乗客に対して緊急呼び戻し運転中である案内を行うことを特徴とするエレベーター装置の運転方法。
【請求項４】
請求項２又は３に記載のエレベーター装置の運転方法において、
前記各階の乗客と前記かご内の乗客に対する緊急呼び戻し運転である案内は、前記各階に設置されている乗り場表示器及び/又は音声案内装置と前記かごに設置されているかご内案内表示器及び/又は音声案内装置で行われることを特徴とするエレベーター装置の運転方法。
【請求項５】
請求項１乃至４のいずれか１項に記載のエレベーター装置の運転方法において、
前記特定階のホールボタンを一定時間押し続けることで、他の階の前記ホールボタン及び/又は前記行先階ボタンの呼びより優先する緊急呼び戻し運転を行うこと及び前記他の階のホールボタン及び/又は前記行先階ボタンの呼びを登録保持し、前記特定階のホールボタンによる緊急呼び戻し運転から平常運転に復帰した後に、前記登録保持した他の階のホールボタン及び/又は前記行先階ボタンの呼びを順次再開すること或いは前記各階の乗客と前記かご内の乗客に対する緊急呼び戻し運転中の案内は、前記制御装置からの指令に基づいて行なわれることを特徴とするエレベーター装置の運転方法。
【請求項６】
各階のホールに設置されているホールボタンと、かご内に設置されている行先階ボタンと、制御装置とを備えたエレベーター装置において、
前記制御装置は、特定階の前記ホールボタンを一定時間押し続けることで、他の階の前記ホールボタン及び/又は前記行先階ボタンの呼びより優先する緊急呼び戻し運転を行う制御と、前記他の階のホールボタン及び/又は前記行先階ボタンの呼びを登録保持し、前記特定階のホールボタンによる緊急呼び戻し運転から平常運転に復帰した後に、前記登録保持した他の階のホールボタン及び/又は前記行先階ボタンの呼びを順次再開する制御を行うことを特徴とするエレベーター装置。
【請求項７】
請求項６に記載のエレベーター装置において、
前記各階には乗り場表示器及び/又は音声案内装置が設置されていると共に、前記かごにはかご内案内表示器及び/又は音声案内装置が設置され、かつ、前記乗り場表示器及び/又は音声案内装置で前記各階の乗客に対して緊急呼び戻し運転中である案内を行い、前記かご内案内表示器及び/又は音声案内装置で前記かご内の乗客に対して緊急呼び戻し運転中である案内を行うことを特徴とするエレベーター装置。
【発明の詳細な説明】
【技術分野】
【０００１】
本発明はエレベーター装置及びその運転方法に係り、特に、エレベーター装置の緊急呼び戻し運転に好適なエレベーター装置及びその運転方法に関する。
【背景技術】
【０００２】
超高齢社会の到来により、救命救急センターや急性期医療の現場では、エレベーター装置の大型化を求める声が高まっている。そこで、医療関係者や設計事務所の意見を収集し、ＩＣＵ対応ベッドと医療機器を同時に乗せることが可能な大型寝台用エレベーター装置の製品化が急務となっている。
【０００３】
また、近年の経済不況により、国内新築建設市場が縮小する中で病院耐震補強による補助金交付の後押しも有り、病院市場は数少ない伸張分野である。
【０００４】
このような技術分野の背景技術の１例として、特許文献１には、緊急事態対応型エレベーターが記載されている。この特許文献１には、ホールボタンによって乗り場呼びを発生させるか又は行先階ボタンによってかご呼びを発生させた後に、前記ホールボタン以外のホールボタンによって緊急事態発生の乗場呼びが発生すると、先に発生した乗場呼び又はかご呼びよりも緊急事態発生の乗場呼びの方を優先して応答させるようにした構成が記載されている。
【先行技術文献】
【特許文献】
【０００５】
【特許文献１】特開平９−２０２５４４号公報
【発明の概要】
【発明が解決しようとする課題】
【０００６】
ところで、医療関係者からの要望が多い機能として、緊急時の患者を乗せたベッド搬送や職員の緊急時の移動をサポートする機能がある。しかし、上述した従来技術では、緊急時に優先して乗車するための「緊急呼び戻しボタン」を設置する必要があり、また、ボタンの誤動作やいたずらで緊急時にエレベーター装置が使用できなくなるなどの問題点がある。
【０００７】
また、特許文献１では、緊急呼び戻し運転中は全ての呼び(かご呼び及びホール呼び)がキャンセルされ、平常運転復帰後(緊急呼び戻し運転後)もかご呼び及びホール呼びはキャンセルされたままであり、乗客に対するサービスという点で問題である。
【０００８】
本発明は上述の点に鑑みなされたもので、その目的とするところは、例えば、病院などの緊急時においても、新たに緊急呼び戻しボタンを設置することなく、既存のホールボタンを使用してボタンの誤動作やいたずら防止が図れると共に、全ての呼びをキャンセルすることなく、平常運転復帰後のサービスが再開可能なエレベーター装置及びその運転方法を提供することにある。
【課題を解決するための手段】
【０００９】
本発明のエレベーター装置の運転方法は、上記目的を達成するために、各階のホールに設置されているホールボタンと、かご内に設置されている行先階ボタンと、制御装置とを備えたエレベーター装置を運転する方法において、特定階の前記ホールボタンを一定時間押し続けることで、他の階の前記ホールボタン及び/又は前記行先階ボタンの呼びより優先する緊急呼び戻し運転を行うと共に、前記他の階のホールボタン及び/又は前記行先階ボタンの呼びを登録保持し、前記特定階のホールボタンによる緊急呼び戻し運転から平常運転に復帰した後に、前記登録保持した他の階のホールボタン及び/又は前記行先階ボタンの呼びを順次再開することを特徴とする。
【００１０】
また、本発明のエレベーター装置は、上記目的を達成するために、各階のホールに設置されているホールボタンと、かご内に設置されている行先階ボタンと、制御装置とを備えたエレベーター装置において、前記制御装置は、特定階の前記ホールボタンを一定時間押し続けることで、他の階の前記ホールボタン及び/又は前記行先階ボタンの呼びより優先する緊急呼び戻し運転を行う制御と、前記他の階のホールボタン及び/又は前記行先階ボタンの呼びを登録保持し、前記特定階のホールボタンによる緊急呼び戻し運転から平常運転に復帰した後に、前記登録保持した他の階のホールボタン及び/又は前記行先階ボタンの呼びを順次再開する制御を行うことを特徴とする。
【発明の効果】
【００１１】
本発明によれば、例えば、病院などの緊急時においても、新たに緊急呼び戻しボタンを設置することなく、既存のホールボタンを使用してボタンの誤動作やいたずら防止が図れると共に、全ての呼びをキャンセルすることなく、平常運転復帰後のサービスが再開可能となる効果がある。
【図面の簡単な説明】
【００１２】
【図１】本発明のエレベーター装置の実施例１を示す概略構成図である。
【図２】本発明のエレベーター装置の実施例１における緊急呼び戻し運転を説明するためのフローチャートである。
【発明を実施するための形態】
【００１３】
以下、図示した実施例に基づいて本発明のエレベーター装置及びその運転方法を説明する。
【実施例１】
【００１４】
図１に、本発明のエレベーター装置の実施例１を示す。該図に示す如く、本実施例のエレベーター装置は、かご６と、かご６内に設置されている行先階ボタン２と、各階のホールに設置されているホールボタン１と、制御装置７とから概略構成されている。
【００１５】
また、各階には、乗り場表示器４と音声案内装置５Ａがそれぞれ設置されており、一方、かご６には、かご内案内表示器３と音声案内装置５Ｂが設置されている。また、ホールボタン１と乗り場表示器４及び音声案内装置５Ａは、それぞれ信号線９Ａ、９Ｂ、９Ｃを介して制御装置７と接続されている。更に、制御装置７は、制御装置７から１本の信号線１０が器具箱８に延びて接続され、この器具箱８で、かご６内の行先階ボタン２とかご内案内表示器３及び音声案内装置５Ｂに、それぞれ信号線１１Ａ、１１Ｂ、１１Ｃに分岐されて接続されている。
【００１６】
そして、本実施例では、制御装置７が、特定階のホールボタン１を一定時間（例えば、３秒以上）押し続けることで、他の階のホールボタン１及び/又は行先階ボタン２の呼びより優先する緊急呼び戻し運転を行う制御と、他の階のホールボタン１及び/又は行先階ボタン２の呼びを登録保持し、特定階のホールボタン１による緊急呼び戻し運転から平常運転に復帰した後に、登録保持した他の階のホールボタン１及び/又は行先階ボタン２の呼びを順次再開する制御を行うものである。
【００１７】
以下、本実施例におけるエレベーター装置の運転方法、即ち、エレベーター装置のホールボタン長押しによる緊急呼び戻し運転方法の例を、図２のフローチャートを用いて説明する。
【００１８】
図２において、緊急事態が発生した際には（ステップＳ１）、ステップＳ２で特定階のホールボタン１が一定時間長押しされたか（例えば、３秒以上）を判断し、特定階のホールボタン１が３秒以上押されなかった場合には、平常運転（ステップＳ１１）を行い、特定階のホールボタン１が３秒以上押された場合には、他の階のホールボタン１及び/又は行先階ボタン２の呼びより優先する緊急呼び戻し運転を行い、特定階のホールボタン１が押された呼び戻し階に直行する（ステップＳ３）。
【００１９】
このステップＳ３では、全ての呼び（他の階のホールボタン１及び/又は行先階ボタン２の呼び）はキャンセルせずに制御装置７に登録を保持する。但し、全ての呼びはキャンセルせず登録保持すること及び新規呼びは登録可能とするが、緊急呼び戻し運転中のサービスは行わない。また、登録を保持した呼び（他の階のホールボタン１及び/又は行先階ボタン２の呼び）については、緊急呼び戻し運転から平常運転に復帰した後、順次サービスを再開する。
更に、特定階のホールボタン１を一定時間（例えば、３秒以上）押し続けると、各階の乗客とかご６内の乗客に対して緊急呼び戻し運転である案内を行う。即ち、各階の乗客に対しては、乗り場表示器４による表示灯と音声案内装置５Ａによる音声で緊急呼び戻し運転中である案内を行い、一方、かご６内の乗客に対しては、かご内案内表示器３による表示灯と音声案内装置５Ｂによる音声で緊急呼び戻し運転中である案内を行う。
【００２０】
次に、特定階のホールボタン１が押された呼び戻し階に直行したら、呼び戻し階に自動着床し（ステップＳ４）、その呼び戻し階でドアを開いたまま待機する（ステップＳ５）。
【００２１】
その後、ステップＳ６で行先階ボタン２が押されたかを判断し、行先階ボタン２が押されず、かつ、ドアを開いたまま待機して３分経過したかをステップＳ７で判断し、ドアを開いたまま待機して３分経過していない場合にはステップＳ５に戻り、３分経過している場合には平常運転（ステップＳ１１）を行う。ステップＳ６で行先階ボタン２が押されたら、直ちにドアが閉まり行先階に直行し（ステップＳ８）、行先階に自動着床したら（ステップＳ９）行先階でドアを開き（ステップＳ１０）、平常運転（ステップＳ１１）に復帰する。
【００２２】
なお、上述した図２に示すエレベーター装置のホールボタン長押しによる緊急呼び戻し運転方法のフローは、制御装置７で行うものである。
【００２３】
このような本実施例とすることにより、例えば、病院などの緊急時においても、新たに緊急呼び戻しボタンを設置することなく、既存のホールボタンを使用することで、ボタンの誤動作やいたずら防止が図れると共に、他の呼びより優先する乗場呼びを発生させ、直ぐに緊急呼び戻し運転中のエレベーター装置を利用可能とし、また、全ての呼びをキャンセルせず登録保持することで、平常運転復帰後のサービスを順次再開可能にできる効果がある。
【００２４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２５】
１…ホールボタン、２…行先階ボタン、３…かご内表示器、４…乗り場表示器、５Ａ、５Ｂ…音声案内装置、６…かご、７…制御装置、８…器具箱、９Ａ、９Ｂ、９Ｃ、１０、１１Ａ、１１Ｂ、１１Ｃ…信号線。
【図１】
2015101432.tif 000003
【図２】
2015101432.tif 000004